(57)【特許請求の範囲】
【請求項１】
一側が開口したそれぞれの上・下部カプセル体（１１１、１１２）及び両側が開口した中間カプセル体（１１３）に備えられるそれぞれの凹溝部（１１４）と突起部（１１５）が、パッキング（１１６）が中間に介在するように相互組立てられて円形の内部浮力球（１２）を有するように結合される不燃材からなった円形カプセル体（１１０）と、
上記上・下部カプセル体（１１１，１１２）及び中間カプセル体（１１３）が相互固定されて結合されるようにするために内部浮力球（１２）内で固定されるカプセル固定手段（１３０）とを含む津波退避用救命装置であって、
上記カプセル固定手段（１３０）が、
上・下部カプセル体（１１１，１１２）の内部の中間にそれぞれ固定される上・下部ナット具（１３１、１３１’）と、上記上・下部ナット具（１３１、１３１’）に相互一直線上になるようにそれぞれ締結される右ねじ棒（１３２）及び左ねじ棒（１３２’）と、
上記右ねじ棒（１３２）と左ねじ棒（１３２’）を相互引っ張られるように連結させるターンバックル（１３３）と、
によってなることを特徴とする上記の津波待避用救命装置。
【請求項２】
上記上・下部カプセル体（１１１、１１２）及び中間カプセル体（１１３）の内周縁部には、相互対応する位置に結合孔（１４２）があるつなぎ結合部材（１４１）及び上記結合孔（１４２）を貫通して掛けられるフック部材（１４３）がそれぞれ対応するように設置される多数のカプセル補強結合手段（１４０）をさらに備えるようになることを特徴とする第１項に記載の津波待避用救命装置。
【請求項３】
上記下部カプセル体（１１３）の下側内部に水（４２）が収容される水タンク（４１）を備えて円形カプセル体（１１０）が均衡をなすようにするウェイト均衡手段（４０）と、
上記ウェイト均衡手段（４０）の上部に固定されて備えられる安全ベルト（５１）を有する座席手段（５０）と
をさらに含み、
上記水タンク（４１）の水（４２）は、上記水タンク（４１）の下部までつながる浸水ホース（６１）と浄水フィルター（６２）を通じてストロー（６３ａ）があるフレキシブルホース（６３）が保管箱（６４）に収容される非常飲用手段（６０）によって飲用することができるようになることを特徴とする第１項に記載の津波待避用救命装置。
【請求項４】
上記分離して形成されて結合される円形カプセル体（１１０）の内周面には、一体で突出する多数の補強突輪部（１１ｃ）をさらに備えた後、衝撃吸収部材（１１ｄ）が接合されるようになることを特徴とする第１項に記載の津波待避用救命装置。
【請求項５】
上記円形カプセル体（１１０）には、外部を透視することができる透明窓（１５）と、締結ねじ具（１６１）によって開閉される通気用ナット孔（１６２）を有する非常空気流入手段（１６）と、点灯スィッチ（１７２）を有した制御部（１７１）と点滅非常灯（１７３）を有する救助信号手段（１７）と、円形カプセル体（１１０）の上部に備えられる救助用引掛け孔（１８）及び円形カプセル体（１１０）の下部に備えられる平面底面部（１９）のうちいずれか一つ以上を選択的に備えるようになることを特徴とする第１項に記載の津波待避用救命装置。
【発明の詳細な説明】
【技術分野】
【０００１】
本発明は、自然災害の一種である地震により引起される津波から緊急に人命を救助することができるように改善された津波待避用救命装置に関するものである。
【背景技術】
【０００２】
一般的に地震等によって発生する大きな高波を津波と言っており、このような津波は海岸の船舶や住宅及び各種施設を一瞬のうちに破壊する威力を持っているということは既に知られた事実である。
【０００３】
また、津波は地震又は台風のような自然災害に起因するものであるので、未然に防止することができる方法がまだ全くないと言える。
【０００４】
それ故、数多くの人命が津波によって死亡することになったり、行方不明になるのが現実と言える。
【０００５】
特に、津波は海岸に一瞬のうちに大きい高波が押し寄せてくるものであるため、待避することができる時間が非常に短く不足な場合が多く、それによって人命被害が非常に大きく発生している。
【０００６】
一方、救命手段としては大きく区分して地上用とビル用及び海上用に区分するることができ、既に知られている地上用及びビル用救命装置は、津波待避用としては非常に不適合である。
【０００７】
また、海上用救命手段としては救命ボート及び救命胴衣等があるが、これらは津波待避用救命手段としては全く人命を保護することができないものである。
【０００８】
そして先行技術において、大韓民国登録特許第１０−０３８７５９９号、大韓民国登録特許第１０−０８４１０４５号、及び同大韓民国登録実用新案第２０−０３１０９６０号のような水上用救命装置が開示されているが、これらは全て空気が注入されるチューブを用いる構造で構成されたものであるため、津波待避用救命手段としては全く利用することができない問題点がある。
【０００９】
すなわち、津波は押し寄せる高波自体が破壊力を持っているだけでなく、各種の物体や残骸が高波と共に押し寄せてくるものである。
【００１０】
それ故、空気チューブ形態の水上用救命装置は、押し寄せる高波自体の破壊力に耐え切れないだけでなく、各種の物体や残骸との衝突によってチューブ構造物内に充填された空気が漏れ出す状態に破損するため、全く人命を救うことができない問題点があるのである。
【００１１】
よって、本発明者は、津波のような緊急な状況に対処して人命を安全に救命することができるようにする装置を研究するに至るようになった。
【発明の概要】
【発明が解決しようとする課題】
【００１２】
本発明は、津波のような自然災害が発生する場合に、緊急な状況に対処して人命を迅速かつ安全に救命することができるようにする津波対処用救命装置を提供しようとするところにその目的がある。
【００１３】
本発明の他の目的は、津波の破壊力及び津波と共に押し流されてくる各種残骸の衝撃により破壊されないように具現された津波対処用救命装置を提供しようとするところにある。
【００１４】
本発明の更に他の目的は、津波が退いた後にも長期間寿命を保存することができるようにする津波対処用救命装置を提供しようとするところにある。
【課題を解決するための手段】
【００１５】
本発明は、内部浮力球を有する不燃材からなった単一体の円形カプセル体と、上記円形カプセル体の一側に備えられて内部浮力球に出入り可能にし、内周縁部にパッキングが備えられるマンホールと、上記マンホールが開閉するようにするマンホールドア手段と、上記内部浮力球の下側に備えられて円型カプセル体が均衡をなすようにするウェイト均衡手段と、上記ウェイト均衡手段の上部に固定されて備えられる安全ベルトを有する座席手段を含んでなる救命装置をその特徴とする。
【００１６】
上記円形カプセル体は、上部カプセル体と下部カプセル体にそれぞれ分離させて形成した後、一体になるように相互接合させてなることを他の特徴とする。
【００１７】
上記上部カプセル体と下部カプセル体の接合部分には、内・外面にそれぞれ対応する一対の補強つなぎプレートを備え、多数のリベットによってつながれるようになることをもう一つの特徴とする。
【００１８】
上記マンホールドア手段は、円形カプセル体の外面に密着する縁部とマンホールに挿入される本体部を有したドア部材と、上記ドア部材の一側が円形カプセル体と連結するようにする蝶番と、上記蝶番と対向するドア部材に備えられる取っ手と、上記取っ手と近接する位置に備えられるドアロック手段によってなることをもう一つの特徴とする。
【００１９】
上記ドアロック手段は、ドア部材を貫通する本体部材のガイド孔内で弾力部材の弾力を受けるプッシュボタンと、上記プッシュボタンのくさび部によって後尾の方へ移動し、弾力部材の弾力を受けて掛かり具の掛かり孔に挿入されるロック部材と、上記くさび部と延長される引張り取っ手によってなることをもう一つの特徴とする。
【００２０】
そして本発明は、一側が開口したそれぞれの上・下部カプセル体及び両側が開口した中間カプセル体に備えられるそれぞれの凹溝部と突起部が、パッキングが中間に介在するように相互組立てられて円形の内部浮力球を有するように結合される不燃材からなった円形カプセル体と、上記上・下部カプセル体及び中間カプセル体が相互固定されて結合されるようにするために内部浮力球の内部で固定されるカプセル固定手段と、上記下部カプセル体の下側内部に備えられて円型カプセル体が均衡をなすようにするウェイト均衡手段と、上記ウェイト均衡手段の上部に固定されて備えられる安全ベルトを有する座席手段を含んでなる救命装置を他の特徴とする。
【００２１】
上記カプセル固定手段は、上・下部カプセル体の内部の中間にそれぞれ固定される上・下部ナット具と、上記上・下部ナット具に相互一直線上になるようにそれぞれ締結される右ねじ棒及び左ねじ棒と、上記右ねじ棒と左ねじ棒を相互引張られるように連結させるターンバックルによってなることをもう一つの特徴とする。
【００２２】
上記上・下部カプセル体及び中間カプセル体の内周縁部には、相互対応する位置に結合孔があるつなぎ結合部材及び上記結合孔を貫通して掛けられるフック部材がそれぞれ対応するように設置される多数のカプセル補強結合手段をさらに備えるようになることをもう一つの特徴とする。
【００２３】
上記ウェイト均衡手段は、水タンクを備え、上記水タンクに水が収容されるようになるようにしたことをもう一つの特徴とする。
【００２４】
上記水タンクの水は、上記水タンクの下部までつながる浸水ホースと浄水フィルターを通じてストローがあるフレキシブルホースが保管箱に収容される非常飲用手段によって飲用することができるようになることを他の特徴とする。
【００２５】
上記分離して形成されて結合される円形カプセル体の内周面には、一体で突出する多数の補強突輪部をさらに備えた後、衝撃吸収部材が接合されるようになることをもう一つの特徴とする。
【００２６】
上記円形カプセル体には、外部を透視することができる透明窓と、締結ねじ具によって開閉される通気用ナット孔を有する非常空気流入手段と、点灯スィッチを有した制御部と点滅非常灯を有する救助信号手段と、円形カプセル体の上部に備えられる救助用引掛け孔及び円形カプセル体の下部に備えられる平面底面部のうちいずれか一つ以上を選択的に備えるようになることをもう一つの特徴とする。
【発明の効果】
【００２７】
本発明は、津波発生時に円形カプセル体内に安全に待避することができるため、緊急な状況に対処して人命を迅速かつ安全に救命することができるようにする津波対処用救命装置を提供する効果がある。
【００２８】
また、本発明は、津波の破壊力及び津波と共に押し流されてくる各種残骸の衝撃により破壊されず、衝撃を緩和させて待避者が衝撃から安全に保護されることができるようにする効果がある。
【００２９】
そして酸素不足の時、外部空気を供給することができ、非常用飲み水を供給することができるので、津波が退いた後直ちに救助されることができなくても、長期間寿命を保存することができるようにする効果があるのである。
【図面の簡単な説明】
【００３０】
図１は、本発明による一実施例の救命装置を表した全体縦断面構成図である。
【００３１】
図２は、図１のＸ−Ｘ’線断面構成図である。
【００３２】
図３は、本発明によるマンホールドア手段の正面構成図である。
【００３３】
図４は、図３のＹ−Ｙ’線拡大断面構成図である。
【００３４】
図５は、本発明によるドアロック手段の作用を説明する平断面構成図である。
【００３５】
図６は、本発明による非常飲用手段の縦断面構成図である。
【００３６】
図７は、本発明による非常飲用手段の開閉作用を説明する一部正面図である。
【００３７】
図８は、本発明による透明窓の構成を示した一側断面図である。
【００３８】
図９は、本発明の他の実施例の救命装置を表した全体縦断面構成図である。
【００３９】
図１０は、本発明の他の実施例の救命装置の分離構成図である。
【００４０】
図１１は、本発明の他の実施例の救命装置の結合過程を説明する正面図である。
【００４１】
図１２は、本発明のカプセル補強手段を表した図１１のＺ−Ｚ’線要部断面構成図である。
【００４２】
図１３は、本発明によるカプセル補強手段を表した正面図である。
【００４３】
図１４は、本発明の他の実施例の救命装置の保管状態図である。
【００４４】
図１５は、本発明の更に他の実施例の上部カプセル体の底面を示した斜視図である。
【００４５】
図１６は、本発明の更に他の実施例の円形カプセル体の一部断面構成図である。
【発明を実施するための形態】
【００４６】
本発明を添付した望ましい実施図面に基づいてより詳しく説明すれば、次の通りである。
【００４７】
図９及び図１０は、本発明による他の実施例の救命装置１００を示したものである。
【００４８】
上記救命装置１００は、円形カプセル体１１０が多数個に分割された状態で保管しておいて、必要時に一つの円形カプセル体１１０に組立て固定させて使用可能なようになったものである。
【００４９】
したがって、上記円形カプセル体１１０は、多数個に分割される状態に製造されることになるが、組立て及び分離作業、及び保管状態を考慮するとき３等分に分割されるように構成するのが最も望ましい。
【００５０】
したがって、上記円形カプセル体１１０は、一側が開口した上部カプセル体１１１及び下部カプセル体１１２と、両側が開口した中間カプセル体１１３に分割されるよう構成される。上記上部カプセル体１１１及び下部カプセル体１１２は、場合によっては上・下部カプセル体１１１、１１２と一括して名称し説明することもある。
【００５１】
上記上・下部カプセル体１１１、１１２及び中間カプセル体１１３は、それぞれ外周面端部で凹溝部１１４と突起部１１５が相互結合されて組立てられることができるようにし、その中間には防水機能をするパッキング１１６が介在して組立てられることができるようにする。
【００５２】
上記凹溝部１１４及び突起部１１５は、上・下部カプセル体１１１、１１２及び中間カプセル体１１３で、互いの間の相互結合される部位でそれぞれ結合可能に対応するよう備えられるようにさえすればよいものである。
【００５３】
したがって、本発明は、上記上・下部カプセル体１１１、１１２及び中間カプセル体１１３が一つの円形カプセル体１１０になることができるように固定させるためのカプセル固定手段１３０を備える。
【００５４】
上記カプセル固定手段１３０は、上・下部カプセル体１１１、１１２内部の中間にそれぞれ固定される上部ナット具１３１及び下部ナット具１３１’を備える。上記上部ナット具１３１と下部ナット具１３１’は、場合によっては上・下部ナット具１３１、１３１’と名称して説明することもある。
【００５５】
したがって、カプセル固定手段１３０は、上記上・下部ナット具１３１、１３１’に相互一直線上になるようにそれぞれ締結される右ねじ棒１３２及び左ねじ棒１３２’を備え、上記右ねじ棒１３２と左ねじ棒１３２’を相互連結させるターンバックル１３３を備えて構成されるようになっている。
【００５６】
本発明の理解を助けるため、上記した右ねじ棒１３２の両端部には右ねじ部１３２ａが形成されるようにし、左ねじ棒１３２’の両端部には左ねじ部１３２’ａが形成されるようにしたものであり、通常的に右ねじ部１３２ａを有した棒を右ねじ棒１３２と言い、左ねじ部１３２’ａを有した棒を左ねじ棒１３２’と呼んでいるため、本発明の実施のための最善の形態及び請求の範囲でも右ねじ棒１３２及び左ねじ棒１３２’と一括して名称し説明することにする。
【００５７】
したがって、本発明は、図９の図示のように、上・下部カプセル体１１１、１１２及び中間カプセル体１１３が一つの円形カプセル体１１０に組立てられ、カプセル固定手段１３０によって堅固に固定されて内部浮力球１２を有する円形カプセル体１１０を構成するようになる。
【００５８】
このような上記円形カプセル体１１０の上部カプセル体１１１には、外部を透視することができる透明窓１５と、締結ねじ具１６１によって開閉される通気用ナット孔１６２を有する非常空気流入手段１６、及び点灯スィッチ１７２を有した制御部１７１と点滅非常灯１７３を有した救助信号手段１７、そして円形カプセル体１１０の上部に備えられる救助用引掛け孔１８をそれぞれ備えるようになっていることは、既に前で説明した一実施例の救命装置１０にあるものと同一のものである。
【００５９】
そして下部カプセル体１１２には、円形カプセル体１１０全体が均衡をとるようにするウェイト均衡手段４０、及び上記ウェイト均衡手段４０の上部に固定されて備えられる安全ベルト５１を有する座席手段５０をそれぞれ備えるようになっている。
【００６０】
上記ウェイト均衡手段４０が水タンク４１を備え、上記水タンク４１に水４２が収容されるようになること、及び座席手段５０も既に前で説明した一実施例の救命装置１０にあるものと同一である。
【００６１】
また、上記水タンク４１の上に非常食糧箱１４及び非常飲用手段６０を備え、下部カプセル体１１２の下部には平面底面部１９を有するようにすることも、既に前で説明した一実施例の救命装置１０にあるものと同一に採用されるものであるため詳細な説明は省略することにする。
【００６２】
したがって、本発明は、図１１に示したように、下部カプセル体１１２の上にまず中間カプセル体１１３を載せて組立てるようにする。
【００６３】
次に、上記中間カプセル体１１３の上に上部カプセル体１１１を半分程度だけ載せた後、上記上部カプセル体１１１が載っていない部分の中間カプセル体１１３を通じて待避者が内側へ入った後に、内側で上部カプセル体１１１を押して中間カプセル体１１３に完全に被さるようにして、中間カプセル体１１３に上部カプセル体１１１が結合されて組立てるようにする。
【００６４】
次に、図９のように下部ナット具１３１’に左ねじ棒１３２’の下端部が締結されるようにするが、この時下部ナット具１３１’に左ねじ棒１３２’が完全に深く入って締結されるようにする。
【００６５】
また、上部ナット具１３１に右ねじ棒１３２の上端部が締結されるようにするが、この時にも上部ナット具１３１に右ねじ棒１３２が完全に深く入って締結されるようにする。
【００６６】
したがって、上・下部ナット具１３１、１３１’にそれぞれ締結された右ねじ棒１３２と左ねじ棒１３２’は、一直線状態になるが、この状態では上・下部ナット具１３１、１３１’にそれぞれ右ねじ棒１３２及び左ねじ棒１３２’が内部に深く入って締結された状態なので、右ねじ棒１３２及び左ねじ棒１３２’が互いに向い合う中間部分にはターンバックル１３３が入ることができる空間が生じるようになる。
【００６７】
したがって、ターンバックル１３３を、右ねじ棒１３２及び左ねじ棒１３２’が互いに向い合う中間部分に位置するようにした後に、右ねじ棒１３２の中間部をつかんで回転させてターンバックル１３３に右ねじ棒１３２の右ねじ部１３２ａが若干締結されるようにする。
【００６８】
次に、左ねじ棒１３２’も中間部をつかんで回転させてターンバックル１３３に左ねじ部１３２’ａが若干締結されるようにする。
【００６９】
次にターンバックル１３３を回転させるようになれば、右ねじ棒１３２及び左ねじ棒１３２’のねじ部が相互逆に形成された状態である右ねじ部１３２ａと左ねじ部１３２’ａになっているので、右ねじ棒１３２及び左ねじ棒１３２’は相互中側へ移動する状態になる。
【００７０】
それ故、上・下部カプセル体１１１、１１２は、中間カプセル体１１３の方向にそれぞれ強く引かれるようになることにより、堅固に結合されて外部と隔離されて密閉された内部浮力球１２を有する一つの円形カプセル体１１０になるように組立てられるのである。もちろん、上記円形カプセル体１１０の分解は、上記した組立て順序の逆順によって分離させればよいのである。
【００７１】
再び図１１を参照すると、本発明は、上・下部カプセル体１１１、１１２及び中間カプセル体１１３の内周縁部には相互対応する位置につなぎ結合部材１４１とフック部材１４３からなった多数のカプセル補強結合手段１４０が等間隔で設置されて備えられる。
【００７２】
上記カプセル補強結合手段１４０は、図１２のように、結合孔１４２があるつなぎ結合部材１４１を備え、上記つなぎ結合部材１４１と対応する位置にはフック部材１４３が固定されて備えられる。
【００７３】
したがって、上記結合孔１４２をフック部材１４３が貫通するよう締まりばめになるようにすれば、相互面どうし接触する上部カプセル体１１１と中間カプセル体１１３が互いに引かれるようになる状態になり、中間カプセル体１１３と下部カプセル体１１２もやはり互いに引かれるようになる状態になるので、円形カプセル体１１０の結合力がさらに補強されるようになる。
【００７４】
上記カプセル補強結合手段１４０による結合は、カプセル固定手段１３０によってまず固定させた次に、直ちにカプセル補強結合手段１４０を結合させて円形カプセル体１１０の結合力が更に補強されるようにすることが望ましい。しかし、場合によって緊急な場合には、座席手段５０にまず着席して安全に待避してから後でカプセル補強結合手段１４０が結合されるようにすることもできる。
【００７５】
このようなカプセル補強手段１４０のつなぎ結合部材１４１及びフック部材１４３は、図１３に例示されたように、その幅を広く形成させることにより相互間の結合力をさらに高めることができるようにすることができる。
【００７６】
そして、上記カプセル補強結合手段１４０を解除する時には、つなぎ結合部材１４１を外側に強制的に外せば、結合孔１４２からフック部材１４３が抜けて離脱することにより解除される状態になるのである。
【００７７】
図１４は、本発明による円形カプセル体１１０の保管状態を示したものであり、保管ケース８０内部にまず下部カプセル体１１２をひっくり返した状態で入れてから中間カプセル体１１３を入れることにより中間カプセル体１１３の中に下部カプセル体１１２が挿入されるようにする。
【００７８】
次に、中間カプセル体１１３の上に上部カプセル体１１１をひっくり返した状態で挿入して下部カプセル体１１２に載るようにし、ひっくり返った上部カプセル体１１１の内部に右ねじ棒１３２と左ねじ棒１３２’及びターンバックル１３３をそれぞれ挿入するようになると、中間カプセル体１１３の高さの大きさに嵩が減少して保管することができるようになる。
【００７９】
図１及び図２は、本発明の一実施例の救命装置１０を表したものである。
【００８０】
したがって、上記救命装置１０は、単一体の円形カプセル体１１を備え、上記円形カプセル体１１は内部に内部浮力球１２を有するように構成されるものであり、上記円形カプセル体１１の内周面にはスポンジやウレタンフォームのような衝撃保護部材Ｒが接着されるようにすることができる。
【００８１】
また、本発明で実施される円形カプセル体１１は、１０００℃でも耐えることができる難燃性耐熱プラスチックで製造されることができ、又は繊維強化プラスチックや比較的重量が軽いアルミニウムでも製造されることもできる。
【００８２】
しかし、上記した材質に限定されるものではなく、強度が高い不燃材であって加工性が優れた材質は全て使用されることができるものである。
【００８３】
したがって、本発明は、円形カプセル体１１が軽い材質で製造されるために海水面Ｗに浮上するものでもあるが、円形カプセル体１１の内部浮力球１２に空気が充満した状態であるため浮力を有するようになることにより海水面Ｗに浮上することができるようになるものである。
【００８４】
それ故、本発明は、相対的に重量が軽い耐熱プラスチックや繊維強化プラスチックのようなプラスチック系列の材質によって円形カプセル体１１が製造されることもできるが、円形カプセル体１１が浮力を有することができるようにする内部浮力球１２を備えるため、比重があまり高くなくて確実な不燃材であるアルミニウムのような金属材質でも製造されるようにすることもできるものである。
【００８５】
それ故、本発明の救命装置１０は、津波による火災にも円形カプセル体１０が燃えないようになり、内部浮力球１２によって浮力が充分に発生して海水の上で浮上することができるようになるのである。
【００８６】
一方、本発明は、図１に表したように、円形カプセル体１１を上部カプセル体１１ａと下部カプセル体１１ｂに分離してそれぞれ製造した後にこれらを接合させて一体になるように製造することもできる。
【００８７】
上記上部カプセル体１１ａと下部カプセル体１１ｂは、その材質によって接合技術は相異するが、プラスチック材質や金属材質による接合技術は既に知られているものであるため詳細な説明は省略することにする。
【００８８】
また、本発明は、上部カプセル体１１ａと下部カプセル体１１ｂが相互接合されるようにした後、接合部分Ｋの上部カプセル体１１ａと下部カプセル体１１ｂの内・外面に一対の補強つなぎプレート１３、１３’がそれぞれ対応するように密着するようにした後に、多数のリベット１３″によって固定されてつながるようにすることができる。
【００８９】
したがって、上部カプセル体１１ａと下部カプセル体１１ｂの接合部分Ｋが一対の補強つなぎプレート１３、１３’によって堅固につながれ、補強される状態になるので、単一体の円形カプセル体１１は津波の破壊力や津波と共に押し寄せてくる残骸物と衝突しても充分に耐えることができるようになる。
【００９０】
図１を参照すれば、本発明は、円形カプセル体１１の一側に内部浮力球１２に出入り可能にするマンホール２０を備える。符号２１は、マンホール２０の内周縁部に固定されて備えられるパッキング２１を示す。
【００９１】
上記マンホール２０は、海水面Ｗに円形カプセル体１１が浮上する場合を勘案して、円形カプセル体１１の上部一側に備えられるようにすることが望ましい。
【００９２】
そして上記マンホール２０は、マンホールドア手段３０によって開閉されることができるように構成される。
【００９３】
上記マンホールドア手段３０は、図３及び図４に表したように、円形カプセル体１１の外面に密着する縁部３１ａとマンホール２０に挿入される本体部３１ｂを有したドア部材３１を備える。
【００９４】
ドア部材３１が縁部３１ａと本体部３１ｂを有するようにするのは、ドア部材３１が閉まった状態で縁部３１ａがパッキング２１に密着するので外部の海水が１次的に侵透しようとすることを遮断し、２次的には本体部３１ｂがパッキング２１に密着して海水が浸透することを遮断することができるようにするためのものである。
【００９５】
このようなドア部材３１の一側には、円形カプセル体１１と連結するようにする蝶番３２が設置される。
【００９６】
したがって、図４の図示のように、ドア部材３１を開けて閉めることができるようになるものであり、本発明は、上記蝶番３２だけが必ず採用されるものではなく蝶番３２と同じ同一の機能を有した他の装置や手段が採用されることもできる。
【００９７】
また、上記蝶番３２と対向するドア部材３１には、取っ手３３を備え、上記取っ手３３と近接する位置にはドアロック手段３４を備えるように構成される。
【００９８】
上記ドアロック手段３４は、プッシュボタン３４３を有したものが採用されるようにするのが望ましい。
【００９９】
その理由は、取っ手３３を握った状態で親指でプッシュボタン３４３を押すようにすれば、さらに迅速にドア部材３１を開けることができるためである。
【０１００】
詳しく説明すれば、津波の発生時に緊急に待避しなければならない必要があるとき、たとえば鍵を用いて錠を開くようになると迅速性が落ちるようになるため、より緊急な待避のために取っ手３３を握った状態で親指でプッシュボタン３４３を押してドア部材３１を開けることができるようにするのが望ましいためである。しかし必ずしもプッシュボタン３４３を有したドアロック手段３４のみが採用されるものではなく、場合によっては他の形態や構造のドアロック手段が採用されるようにすることもできる。
【０１０１】
図５を参照すれば、上記ドアロック手段３４は、ドア部材３１を貫通する本体部材３４１のガイド孔３４１ａ内で弾力部材３４２の弾力を受けるプッシュボタン３４３を備える。
【０１０２】
したがって、プッシュボタン３４３を押すようになると、弾力部材３４２が圧縮されながらプッシュボタン３４３が後進して移動し、プッシュボタン３４３を押していた加圧力を解除すれば弾力部材３４２の弾力によってプッシュボタン３４３が前進して移動し元の位置に復帰するように動作する。
【０１０３】
したがって、プッシュボタン３４３を押すようになると、後尾にあるくさび部３４４が後尾の方へ移動し、それによってくさび部３４４の傾斜面がロック部材３４６の接面部３４６ａを後尾の方へ押すようになるに従い、ロック部材３４６が一側方向（図５の図面で左側方向）に移動する状態になり、この時弾力部材３４５が圧縮される状態になる。
【０１０４】
それ故、ロック部材３４６が掛かり具３４７の掛かり孔３４８を離脱するようになるに伴い、ロック状態が解除される状態になることにより、ドア部材３１を開けることができるようになり、それによってマンホール２０を通じて円形カプセル体１１の中に入ることができるようになるのである。
【０１０５】
そして円形カプセル体１１の中でドア部材３１を閉めるときには、プッシュボタン３４３が延長されている引張り取っ手３４９を引っ張るようになると、前で説明したのと同じく、くさび部３４４の傾斜面がロック部材３４６の接面部３４６ａを後尾の方へ押すようになるに伴い、ロック部材３４６が一側方向（図５の図面では左側方向）に移動する状態になることにより、ロック部材３４６がマンホール２０を通過するようになり、この状態で引張り取っ手３４９を放すようになると、弾力部材３４２によってプッシュボタン３４３と引張り取っ手３４９が元の位置に復帰するように移動し、また他の弾力部材３４５の弾力によってロック部材３４６が図５での実線図示のような元の位置に復帰するように移動してロック部材３４６が掛かり具３４７の掛かり孔３４８に挿入されてロックされた状態になるのである。
【０１０６】
したがって、円形カプセル体１１内部から外部に脱出しようとするときには、引張り取っ手３４９を引っ張ってロック部材３４６が掛かり具３４７の掛かり孔３４８を離脱するようにして解除状態になるようにした後に、別の手でドア部材３１を押し開いて出ればよいのである。
【０１０７】
また、本発明は、円形カプセル体１１の内部にいる待避者が意識を失った場合には、外部でプッシュボタン３４３を押してロック部材３４６が解除されるようにしてたやすくドア部材３１を開けて待避者を救助することができるようになるのである。
【０１０８】
再び図１及び図２を参照すれば、本発明は、円形カプセル体１１が均衡をなすようにするために内部浮力球１２の下側にウェイト均衡手段４０を備えるようになる。
【０１０９】
上記ウェイト均衡手段４０は、水タンク４１を備え、上記水タンク４１に水４２が収容されるように構成される。上記水４２は、栓ボルト４４によって開閉される投入ねじ孔４３を通じて投入されるか、又は補充されることができるようになっている。
【０１１０】
上記水タンク４１の中間部には、図面で待避者の脚が入ることができるへこみ部（図面符号なし）が形成されて図示されているが、これは必ずなければならないものではない。すなわち、待避者は場合によっては水タンク４１の上に足を伸ばす状態で待避することもできるためである。
【０１１１】
したがって、本発明は、円形カプセル体１１の下側に重量がある水４２がウェイトの役割をするので、海水に浮かんでいる状態でウェイト均衡手段４０の重さによって円形カプセル体１１の下部が下にさがるので、円形カプセル体１１がちゃんと立てられることになり均衡をなすようになる状態になるのである。
【０１１２】
また、津波が退いた後に海水が全て退くようになると、地上ではウェイト均衡手段４０の重さによって円形カプセル体１１が起き上がりこぼしのようにちゃんと立てられる状態になるように均衡をなすようになることにより、円形カプセル体１１内にいる待避者は、安定的な姿勢で待避することができるようになるのである。
【０１１３】
また、円形カプセル体１１が起き上がりこぼしのようにちゃんと立てられることにより、後に再び説明する透明窓１５と非常空気流入手段１６、及び救助信号手段１７と救助用引掛け孔１８が海水面Ｗや地上から上側方向に位置するようにするので、それぞれその機能を発揮することができるようにさせる。
【０１１４】
そしてウェイト均衡手段４０の上部には、安全ベルト５１を有する座席手段５０が固定されて備えられる。
【０１１５】
上記安全ベルト５１の構造、及び安楽かつ安全に着席することができる座席手段５０の構造は、乗用車用安全ベルト及び座席と同じものであって既に知られたものであるので、詳細な図面と説明は省略することにする。
【０１１６】
上記座席手段５０は、円形カプセル体１１の中心よりウェイト均衡手段４０の方向に向かって最大限下側に位置するように設置されることが望ましい。
【０１１７】
これは、体重や座席手段５０の荷重が、最大限ウェイト均衡手段４０がある円形カプセル体１１の下部の方にかかるようにすることにより、地上や海上で救助信号手段１７及び救助用引掛け孔１８が上部の方へ位置することができるようにすると同時に、円形カプセル体１１が起き上がるこぼしのようにちゃんと立てられる状態で均衡をなすようにして、円形カプセル体１１内にいる待避者が最大限安定的な姿勢で留まることができるようにするためのものである。
【０１１８】
そして本発明は、円形カプセル体１１の内部浮力球１２内に非常飲用手段６０を備えるものであり、図２の図示のように座席手段５０周辺の水タンク４１の上に設置されて備えられるようにすることにより、待避者が手軽に利用することができるようにすることが望ましい。
【０１１９】
図６を参照すれば、上記非常飲用手段６０は、水タンク４１の下部までつながる浸水ホース６１と連結する浄水フィルター６２を備え、上記浄水フィルター６２にはストロー６３ａがあるフレキシブルホース６３が連結して備えられて保管箱６４に収容されて保管されるようになっている。
【０１２０】
上記保管箱６４は、図７のように開閉覆い６５があり、上記開閉覆い６５は回動する掛け金６６が掛かり具６７に掛けられたり解除されるようにして開閉可能なようになったものが採用されるようにする。しかし、開閉覆い６５を開閉させる手段が必ずしも上記のようになるようにするものではなく、場合によっては他の構造で開閉されることができるように構成されるようにすることもできるものである。
【０１２１】
したがって、上記非常飲用手段６０は、非常時に水タンク４１にある水４２を飲み水として飲用する必要があるときに使用されるものである。
【０１２２】
すなわち、津波による高波は短時間内に陸地に上陸して自然消滅するものであるため、津波消滅後、短時間の内に救助されるか円形カプセル体１１から脱出した場合には、非常飲用手段６０を使用する必要が極めてない。
【０１２３】
しかし、津波によって円形カプセル体１１に乗船した状態で共に海に押し流されて遭難したり、又は津波消滅後に陸地で長期間救助されずに円形カプセル体１１内に継続して留まることになる場合には、脱力防止のために水を摂取しなければならない。
【０１２４】
この場合、図６の仮想線の図示のように、開閉覆い６５を開けフレキシブルホース６３を引き出してストロー６３ａを口にくわえて吸うようになれば、その吸う吸入力によって水タンク４１の水４２が浸水ホース６１に吸入されて浄水フィルター６２を通過するようになることにより、きれいに浄水された水をフレキシブルホース６３とストロー６３ａを通して飲用することができるようになるのである。上記浄水フィルター６２は、既に知られたものであるため、詳細な図面と説明は省略する。
【０１２５】
したがって、本発明は、非常飲用手段６０によって水タンク４１の水４２を飲み水として飲用することができるので、長期間漂流したり救助されなかった場合にも、長期間の生命維持をすることができるようになるのである。
【０１２６】
また、本発明は、図１に例示されたように、水タンク４１の上に非常食糧箱１４を備えることができる。上記非常食糧箱１４にはヘルメット（未図示）及び長期間の保存が可能な乾燥食品（未図示）等が収納されるようにする。また、緊急待避時に待避者が飲み水が入ったペット瓶（未図示）を非常食糧箱１４に入れた後、覆いロック手段（未図示）でロックされるようにすることができる。
【０１２７】
したがって、待避のための円形カプセル体１１の内部浮力球１２に待避者が入った後には、ヘルメットをかぶって座席手段５０に着席することができるようになるのであり、非常食糧箱１４内の非常食糧や飲み水は、津波によって救命装置１０に乗船した状態で、共に海に押し流され長期間遭難したり、又は津波消滅後に陸地で長期間救助されずに救命装置１０内に継続して留まることになる場合に、引き出して摂取することにより長期間の遭難時に生命維持を図ることができるようにする。
【０１２８】
一方、本発明は、図２に表したように、円形カプセル体１１の内周面に多数の補強バー７０が対角線方向に固定されるようにすることができる。上記補強バー７０の外周面には、スポンジのような衝撃保護部材７１が被せられるようにすることが望ましい。
【０１２９】
上記補強バー７０は、円形カプセル体１１が残骸物との衝突によって衝撃を受けるようになったとき、その衝撃力を一部吸収するようになるため、円形カプセル体１１内の待避者に及ぼす衝撃力を緩和させる役割を行うだけでなく、円形カプセル体１１自体を補強してくれるため、円形カプセル体１１が歪んだり破断することを最大限未然に防止されるようにする補強の役割を行うようになる。
【０１３０】
このような補強バー７０は、円形カプセル体１１の厚さや大きさ（直径）及び材質によって選択的に採用されるようにするものである。
【０１３１】
そして図１及び図２を参照すれば、本発明の円形カプセル体１１には外部を透視することができる透明窓１５を備えるだけでなく、非常空気流入手段１６及び救助信号手段１７を備える。
【０１３２】
上記透明窓１５は、耐熱性高強度ガラスで製造されて装着されるものであり、図８に図示されたように、外周縁部にパッキング１５１が介在する状態で固定ブラケット１５２によって固定されて設置されることにより、海水が浸透することができないように装着されるものである。
【０１３３】
上記透明窓１５からは、外部を肉眼で見られるようにするため、津波が継続して進行中であるのか、又は津波が終わったのか等が分かるようにし、津波が退いてからは外部の状況を感知して適切に対処が可能なようにする。
【０１３４】
例えば、救命装置１０がある位置が地上なのか海上なのかを識別することができるようにして脱出可否を判断することができるようにしたり、又は建物の屋上に救命装置１０が載っているのか、あるいは地上に押し流されきたのか等を識別可能にして、待避者が適切に対処が可能なようにするものである。
【０１３５】
非常空気流入手段１６は、図１に表したように、円形カプセル体１１の上部の一側に通気用ナット孔１６２を備え、上記通気用ナット孔１６２には締結ねじ具１６１が締結されるように構成される。
【０１３６】
それ故、通気用ナット孔１６２には締結ねじ具１６１が締結されているので、通気用ナット孔１６２を通じて海水が侵透することはできなくなる。
【０１３７】
そして上記非常空気流入手段１６は、内部浮力球１２に存在する酸素が不足な場合に使用されるものであり、津波による高波は短時間内に陸地に上陸して自然消滅するものであるため、津波消滅後、短時間の内に救助されるか円形カプセル体１１から脱出した場合には、非常空気流入手段１６を使用する必要がなくなる。
【０１３８】
しかし、津波によって円形カプセル体１１に乗船した状態で共に海に押し流されて長期間遭難したり、又は津波消滅後に陸地で長期間救助されずに円形カプセル体１１内に継続して留まることになる場合には、待避者の継続的な呼吸によって内部浮力球１２内の空気中の酸素量が不足になる。
【０１３９】
このとき、締結ねじ具１６１を緩めて通気用ナット孔１６２から完全に分離するようにすれば、通気用ナット孔１６２を通じて外部の空気が内部浮力球１２に流入されることにより、救助されるまで生命維持を持続的に図ることができるようになるのである。
【０１４０】
救助信号手段１７は、図１に示されたように、円形カプセル体１１の上部に点滅非常灯１７３が備えられており、上記点滅非常灯１７３は、円形カプセル体１１の内部に設置される制御部１７１の点灯スィッチ１７２によって点灯されるようになっている。上記制御部１７１には、乾電池（未図示）及び制御回路（未図示）等が内蔵されたものであり、上記制御回路は既に知られているものであるため、詳細な図面と説明は省略することにする。
【０１４１】
上記救助信号手段１７は、待避者が円形カプセル体１１内部に入った後直ちに稼動するようにするか、又は津波が退いた後に点灯スィッチ１７２をオン（ｏｆｆ）させて稼動させることにより、点滅非常灯１７３で明りが点滅するようにすることにより遭難信号によって外部から救助を受けることができるようにするものである。
【０１４２】
また、場合によっては待避者が携帯している移動電話機を用いて救助要請をすることもできる。このときは、公衆電波による送受信がより容易なようにするために非常空気流入手段１６の締結ねじ具１６１を緩めるようにすれば、通気用ナット孔１６２が外部と通じるようになるため、より送受信がうまくいくようになる。
【０１４３】
そして本発明は、図１に示されたように、円形カプセル体１１、１１０の上部に救助用引掛け孔１８を備え、円形カプセル体１１、１１０の下部には平面底面部１９を備えるように構成される。
【０１４４】
上記救助用引掛け孔１８では、例えば高層ビルの屋上や海上で遭難したとき、ヘリコプターに搭載された牽引装置の牽引掛け金が引っかかるようにして、救命装置１０を空中に引き上げて救助する場合に用いられたり、又は津波によって押し寄せてきた残骸物の中に救命装置１０が引っ張り出すことができる程度に埋もれた場合に、牽引掛け金を救助用引掛け孔１８にかけて引っ張り出す場合に用いられることができるようにするものである。
【０１４５】
そして円形カプセル体１１、１１０の下部に平面底面部１９があるため、救命装置１０を保管中のときや、又はウェイト均衡手段４０の作用によって救命装置１０が起き上がりこぼしのように立てられるようになるとき、平面底面部１９が地面に接するようになるため、救命装置１０が一旦立てられた後には搖れることなく起立した状態になるので、円形カプセル体１１が再び転がって行かず安定的な状態で立てられることができるようにする。
【０１４６】
そして、一例として上部カプセル体１１ａ，１１１で表した図１５を参照すれば、本発明は、それぞれ分割されるよう形成されて結合される円形カプセル体１１、１１０の内周面には、一体に突出される多数の補強突輪部１１ｃを放射状に多数備えるようにする。
【０１４７】
次に、図１６の図示のように、円形カプセル体１１、１１０の内周面に衝撃吸収部材１１ｄが接合されるようにすることにより、津波の破壊力及び津波と共に漂っている残骸物との衝撃を吸収できるようになるようにすることができる。
【０１４８】
上記衝撃吸収部材１１ｄはウレタン樹脂が望ましく、上記ウレタン樹脂を接合させる接合技術は既に知られたものであるため省略することにするが、場合によっては強力接着剤が用いられることもできる。
【０１４９】
そして図面では上部カプセル体１１ａ、１１１に多数の補強突輪部１１ｃを有するように一例として図示されているが、本発明は、下部カプセル体１１ｂ、１１２及び中間カプセル体１１３にも上記と同一な多数の補強突輪部１１ｃを有するようにし、その内周面に衝撃吸収部材１１ｄが接合されるように構成するものである。
【０１５０】
それ故、多数の補強突輪部１１ｃが構造学的に補強リーブの役割をするので、円形カプセル体１１、１１０全体が歪まないように補強されるだけでなく、円形カプセル体１１、１１０が外部衝撃力を受けるようになれば、その衝撃力を衝撃吸収部材１１ｄが吸収するようになるので円形カプセル体１１、１１０が受けるようになる衝撃が緩和されるだけでなく、待避者に伝達される衝撃波動が緩和されるので救命装置１０、１００内に待避している待避者を外部衝撃から保護することができるようになるのである。
【０１５１】
そして多数の補強突輪部１１ｃが構造学的に補強リーブ役割をするように構成された円形カプセル体１１、１１０は、その厚さを図１及び図９に表した救命装置１０、１００の円形カプセル体１０、１１０に比べて相対的により薄い厚さを有するようにできるので、製造原価を大きく節減させることができるようになる長所を有することができる。
【０１５２】
一方、保管において３等分に分離される救命装置１００の場合、カプセル保管ケース８０に入れられて保管嵩が小さいため、住宅やビルの空いた空間又は屋上等に保管しておいて必要時に引き出して使用すればよい。
【０１５３】
しかし単一体からなった救命装置１０は、相対的に比較的嵩が大きいため、海岸や屋上又は道路周辺の空き地及び遊び場や公園等に備置されるようにしておいて、津波発生時、緊急に待避用として使用する救命装置１０として適する。
【０１５４】
したがって、単一体からなった救命装置１０は、円形カプセル体１１の外周面に絵や大衆広報用文、又は備置される地方の観光地及び特産物の広報図や文字を描いて備置するようにすれば、平常時には広告用構造物として用いて環境改善になり、津波発生時に緊急待避用救命装置１０として用いることができるようになるので、津波が発生し得る海岸地方や都市に数多くの救命装置１０を配置しても、環境美化を害しない長所がある。
【０１５５】
そして本発明は、円形カプセル体１１、１１０の内部に１人が待避することができるように図示して説明されたが、場合によっては２人又は大人１人と子供１人が一緒に待避することができたり、複数名が一緒に待避することができる救命装置１０、１００も実現可能である。
【０１５６】
したがって、本発明は、図面によって実施例として説明されたものだけに局限されるものではなく、本発明が属する通常の知識を有した者によってさまざまな形態に変形実施されることもできるものであるため、請求の範囲を大きく脱しない限り幅広く保護されなければならないことは自明なことである。
【産業上の利用可能性】
【０１５７】
本発明は、津波発生時、円形カプセル体内に安全に待避することができるため、緊急な状況に対処して人命を迅速かつ安全に救命することができるようにし、津波の破壊力及び津波と共に押し流されてくる各種残骸の衝撃により破壊されずに衝撃を緩和させて待避者が衝撃から安全に保護されることができ、津波が退いた後直ちに救助されることができなかったとしても、長期間寿命を保存することができる。
【図１】
0005532469.tif 000002
【図２】
0005532469.tif 000003
【図３】
0005532469.tif 000004
【図４】
0005532469.tif 000005
【図５】
0005532469.tif 000006
【図６】
0005532469.tif 000007
【図７】
0005532469.tif 000008
【図８】
0005532469.tif 000009
【図９】
0005532469.tif 000010
【図１０】
0005532469.tif 000011
【図１１】
0005532469.tif 000012
【図１２】
0005532469.tif 000013
【図１３】
0005532469.tif 000014
【図１４】
0005532469.tif 000015
【図１５】
0005532469.tif 000016
【図１６】
0005532469.tif 000017